(57)【特許請求の範囲】
【請求項１】
柱や胴差などの構造材の側面に受金具を突設し、該受金具を嵌合する縦溝を端面に設けた、梁や桁などの横架材の端部に、該横架材の長手方向に重ね合わせるようにして接合板を取付け、該接合板を、下端開口の切欠において係合する、正面視逆Ｕ字状の挟入溝を前記受金具の周側面に形成すると共に、該周側面に前記縦溝を通じて横架材の前記端部に嵌挿する接続ピンの嵌挿孔を設けた、横架材の接合装置。
【発明の詳細な説明】
【技術分野】
【０００１】
本発明は、木造建物の梁、桁などの横架材を、柱や胴差などの構造材に接合する際に用いる横架材の接合装置に関するものである。
【背景技術】
【０００２】
横架材に取付けた接合金具の接合板に下端開口の切欠を設け、該切欠の上端縁を受止する第一突子と該第一突子の下側に配した第二突子を柱の側面にそれぞれ突設し、前記第二突子に掛止する掛止ピンと該第二突子の下縁に係止する係止ピンのそれぞれの嵌挿孔を前記横架材の側面に横設した構造のものがある（例えば、特許文献１）。
【０００３】
【特許文献１】特開２００２−１４６９１８号公報
【発明の開示】
【発明が解決しようとする課題】
【０００４】
前記構造の接合装置は、所謂ほぞ接合式に代る接合金具方式の一形式のものとして利用されているが、横架材に取付けた接合金具に備えた、下端開口の切欠の上縁（奥端縁）を、構造材に設けた第一突子に掛止して横架材を構造材に接合する構成を採るので、第二突子に掛止ピンを掛止するとしても、横架材の荷重が接合金具（切欠）を介して第一突子に負荷される（全荷重でないにしても）ことになり、殊に、地震などによる振動がこれに加味されると、第一突子と切欠（の上縁）との組合わせ関係により横架材は第一突子を軸にして揺動しようとして構造材との一体性が損われる虞がある。
【０００５】
本発明は、斯様な揺動させようとする外力の負荷に対処し、接合金具方式として斬新な構造の、横架材の接合装置を提供すべく創案したものである。
【課題を解決するための手段】
【０００６】
柱や胴差などの構造材の側面に受金具を突設し、該受金具を嵌合する縦溝を端面に設けた、梁や桁などの横架材の端部に、該横架材の長手方向に重ね合わせるようにして接合板を取付け、該接合板を、下端開口の切欠において係合する、正面視逆Ｕ字状の挟入溝を前記受金具の周側面に形成すると共に、該周側面に前記縦溝を通じて横架材の前記端部に嵌挿する接続ピンの嵌挿孔を設けた、構成としたものである。
【発明の効果】
【０００７】
掛止板に設けた下端開口の切欠が、受金具に設けた係合溝に嵌合して、横架材が構造材に接合される構成を採るから、横架材を揺動させようとする外力が作用することなく、一体性を持たせて構造材に接合することができ、従来にない斬新な構造の横架材の接合装置を提供できる。
【実施例】
【０００８】
図面は、本発明に係る横架材の接合装置の一実施例を示し、図１は縦断面図、図２は横断面図、図３は受金具の正面図、図４は受金具の側面図、図５は受金具の平面図、図６は受金具の斜視図、図７は接合金具の斜視図である。
【０００９】
実施例の接合装置は、横架材（実施例は梁であるが、桁でも良い）ｂの端部ｂ´に接合金具Ａを取付け（固定し）、構造材（実施例では柱であるが胴差でも良い）ｃの側面に受金具Ｂを突設し、該受金具Ｂに前記接合金具Ａを組付けて、前記横架材ｂを前記構造材ｃに接合するものである。
【００１０】
接合金具Ａは、接合板１の両側に取付板２を相対設した、平面視コの字形の鋼板製枠体で成り、接合板１には上端部を残して下端開口状の切欠３を設け、前記取付板２には上下の接続ピン４，４´の挿通用の透孔６，６´と、上下の固定ピン５，５´の挿通用の透孔７，７´を取付板２，２間において互いに一致するようにそれぞれ並設したものである。
【００１１】
上側接続ピン４挿通用の透孔６は、前記切欠３より上方にして、前記接合板１に近接させて設け、この透孔６の直下中間位置には、下側接続ピン４´挿通用の透孔６´を設け、上下の固定ピン５，５´挿通用の透孔７，７´は、取付板２の自由（先）端側に切欠３の長手（上下）方向に並べて設けてある。
【００１２】
横架材ｂの前記端部ｂ´の側面の適所には各透孔６，６´、７，７´と一致するようにして嵌挿孔８，８´、９，９´を横設し、端面ｂ´´には各嵌挿孔８，８´、９，９´と直交するようにして縦溝１０を設け、該縦溝１０に前記接合金具Ａを係合し、該接合金具Ａの取付板２の自由端側に上下に並設した透孔７，７´と横架材端部ｂ´に設けた一方の上下の嵌挿孔９，９´に前記固定ピン５，５´をそれぞれ嵌挿打ち込み、前記接合金具Ａは、接合板１が横架材ｂの長手方向に重ね合わせるようにして横架材端部ｂ´に取付けてある。
【００１３】
前記縦溝１０は、接合金具Ａの取付板２，２間の外径幅とほぼ一致する径幅を備え、構造材ｃ側に突設した前記受金具Ｂが係合できる奥行幅を有する溝部１０Ａと、該溝部１０Ａの奥壁の両隅部に溝部１０Ａを部分的に延長させて設けた、一対のスリット部１０Ｂ，１０Ｂで構成してある。すなわち前記接合金具Ａは、この縦溝１０の溝部１０Ａに、取付板２の接合板１側の一半を、スリット部１０に他の一半をそれぞれ係合して、スリット部１０Ｂに交叉するように横架材ｂの端部ｂ´側面に設けた、前記一方の上下の嵌挿孔９，９´および該嵌挿孔９，９´と一致するようにして配した、取付板２側の透孔７，７´に固定ピン５，５´を打ち込み嵌挿して、横架材端部ｂ´に、前記の通り、取付けて固定したものである。
【００１４】
前記受金具Ｂは、板状の当接部１１の下端に板状の閉塞部１２を突設した側面視Ｌ形部の内側（両部１１，１２間）に、前記当接部１１側に偏して金具主体１３を一体に配した様な形状の縦長ブロック体で成り、金具主体１３の前記閉塞部１２側の基部を、残した部分の上端縁には横架材端部ｂ´に横設する前記上側掛止ピン４の嵌入溝１４を設け、該嵌入溝１４の直下には、該嵌入溝１４との離開幅が前記透孔６と６´（若しくは嵌挿孔８と８´）との離開幅と同幅にして前記下側接続ピン４´の接続孔１５を設け、金具主体１３の当接部１１側の基部には、該金具主体１３の外界と接する周側面部（縦長逆Ｕ字状の輪郭形を成す）に沿わせて正面視逆Ｕ字上の挟入溝１６を設け、該挟入溝１６に前記切欠３の構成縁部３´が係合して前記接合金具Ａは受金具Ｂに組付けられるようにしてある。
【００１５】
また、受金具Ｂは、前記金具主体１３の正面（横架材ｂの端面ｂ´´と相対する面）中央部には、前記嵌入溝１４と接続孔１５と重ならない位置にして貫通孔１７，１７を上下に並べて設け、該貫通孔１７を通した締付けボルト１８を前記構造材ｃに設けた通し孔１９に貫通させ、構造材ｃより突出したボルト１８先端に締付けナット２０を螺合、締付けて構造材ｃの側面に前記当接部１１側を接触させて突設したものである。
【００１６】
そして、前記の通り、縦溝１０に係合、収納して固定ピン５，５´で横架材ｂに固定した接合金具Ａの接合板１を、締付けボルト１８で締付け、構造材ｃの側面に突設した受金具Ｂの挟入溝１６に、切欠３において係合させつつ横架材ｂを降下させると（クレーン等で）、横架材ｂは、前記接合板１が切欠構成縁３´において受金具Ｂの挟入溝１６に係合し、かつ、受金具Ｂに受支される（接合金具Ａは閉塞部１２上に部分的に載置される）ことにより、構造材ｃに仮接合される。この状態で上側の接続ピン４を、他方の上側透孔６と嵌入溝４を通じて上側の嵌挿孔９に、下側の接続ピン４´を、他方の下側透孔６´と接続孔１５を通じて下側の嵌挿孔９´２それぞれ嵌挿、打込むことによって実施例を適用した横架材ｂの接合装置を得られる。
【００１７】
なお、受金具Ｂ側の閉塞部１２は、縦溝１０の溝部１０Ａの方形状の横断面形とほぼ同形の輪郭形を備えて、縦溝１０（溝部１０Ａ）内に係合され、該係合状態によって縦溝１０（溝部１０Ａ）を上下に仕切り、縦溝１０を通じての空気の流れを遮断し、火災時の延焼を可及的に防ぐようにしてある。
【００１８】
なお、嵌入溝１４に代えて接続孔を用いても不都合はない。
【図面の簡単な説明】
【００１９】
【図１】縦断面図。
【図２】横断面図。
【図３】受金具の正面図。
【図４】受金具の側面図。
【図５】受金具の平面図。
【図６】受金具の斜視図。
【図７】接合金具の斜視図。
【符号の説明】
【００２０】
Ｂ      受金具
ｂ      横架材
ｂ´    端部
ｃ      構造材
１      接合板
３      切欠
４´    接続ピン
８´    嵌挿孔
１０    縦溝
１６    挟入溝
【図１】
0005178245.tif 000002
【図２】
0005178245.tif 000003
【図３】
0005178245.tif 000004
【図４】
0005178245.tif 000005
【図５】
0005178245.tif 000006
【図６】
0005178245.tif 000007
【図７】
0005178245.tif 000008